Podtech/llm-jp-corpus-v4-ja_patent huggingface dataset:
(57)【要約】      （修正有）【課題】鼠の自由な動きに任せたままの駆除や捕獲といった従来の手法ではなく、鼠が自由に走り回る場所と害を及ぼす場所とが違うという事を認識し、害を及ぼす場所への侵入を防止し、鼠の自由な動きを止める鼠侵入防止器を提供する。【解決手段】合成樹脂製にして柔軟性を持たせた平らな盤２に、金属製で高さを１６〜１７ｍｍの細い針１を１０ｍｍの間隔で植え付け、これを建物への鼠の侵入口付近はもちろんのこと、鼠が害を及ぼす場所への通路を遮断するように置く。鼠はこの「鼠侵入防止器」の針の山を越えたり、通り抜けたりする事が出来ず、自由な動きを止められることから、自然と居場所を他に移す事となる。つまり、鼠は活動の場所を失って退散する。【選択図】図１
2007082516.tif 000002
【特許請求の範囲】
【請求項１】
本発明の「鼠侵入防止器」は、平らな盤に細い針を植え付けた器具（図１参照）で、盤が長方形となることから「帯状の針の山」とも言えるものである。針は、先の尖った金属製として前後・左右をそれぞれ１０ｍｍの等間隔に、高さは盤の表面から１６〜１７ｍｍとして市販されているステンレス製の釘（１．４×１９ｍｍ）を使う事も選択肢の一つである。この場合、釘の頭は盤の裏側に整然として見えるか、盤の中に埋め込まれるかのい何れかである。盤は、カッタ−ナイフで紙などをカットする際に用いるカッタマットのような材質（合成樹脂）で柔軟性を持たせ、厚さは２〜３ｍｍとして半永久的な使用に耐える物が良い。盤の大きさは、長方形の短辺を１１０ｍｍに固定し、長辺の長さに違いを持たせて種類とする。盤と針の位置関係は、図１を参考にするなら縦及び横、それぞれ一番外側にある針の列と平行な盤の端までの距離を５ｍｍとする。これは、図２のように組み合わせて使う場合、接続部分での針の間隔に１０ｍｍ以上の透き間ができないようにすることで、接続部分を鼠が通り抜けるのを防ぐためである。この「鼠侵入防止器」の狙いは、従来のように鼠と格闘するのではなく、「帯状の針の山」で進路を断たれた鼠が自然と居場所を移すようにするものである。
【発明の詳細な説明】
【技術分野】
【０００１】  本発明は、平らな盤に細い針を植え付ける（図１参照）のが特徴で、盤にはカッタマットのような材質（合成樹脂）で柔軟性を持たせ、針は先の尖った金属製として「帯状の針の山」を作るのが狙いである。針は、高さを１６〜１７ｍｍとして１０ｍｍの等間隔で植え付けるが、市販されているステンレス製の釘（１４×１９ｍｍ）も選択肢の一つである。
【背景技術】
【０００２】  従来、鼠からの被害を防止する技術には鼠駆除剤や捕獲器（かご状やバネ式）及びゴキブリホイホイ（粘着式）を大型にした物がある。この「鼠侵入防止器」は、その形状（図１参照）や用法（図２参照）が発想の転換によるもので、従来の手法には頼らない事から特許文献や非特許文献による情報の所在は不明である。
【発明の開示】
【発明が解決しようとする課題】
【０００３】  本発明は、鼠からの被害を防止するのが狙いではあるが、従来からの駆除剤や捕獲器の使用といった手法ではなく、「帯状の針の山」とも言える器具を用いる事により、鼠が居場所を嫌って遠ざかる（居場所を移す）ようにしようというのが課題である。
【課題を解決するための手段】
【０００４】  この課題を解決するには、建物内の鼠や新たに侵入して来る鼠と格闘するといった従来の固定観念を捨て、発想の転換によるところの新たな器具「鼠侵入防止器」を用いる事にある。そのためには、建物内での鼠の活動を知る必要がある。それは、えさ場への通路を確保するために床や壁に穴を開け、また、牙を研ぐために水道管（塩ビパイプ）をかじったり、洗濯機や流し台の排水ホ−スをかじっては穴を開けて漏水させるといった被害で、何れの場合も場所的には限定される被害である。したがって、このような場所を「鼠侵入防止器」で図２のごとく囲み、鼠の活動場所を奪うのであるが、「帯状の針の山」を越せない鼠が居場所を嫌って遠ざかるようになるのである。
【発明の効果】
【０００５】  本発明は、鼠対策における従来の手法を大きく変えるが、この、発想の転換によって産み出した器具及び用法が、今後、鼠対策を考える上での主流となっていく事は確実である。本発明の最大の利点は、平面ばかりでなく斜面や立面への使用及び屋外での鼠対策にも良く、従来の手法による駆除剤の補充や捕獲器にかかった鼠の処理といった手間もなく、便利さに加えて用法は無限であり、地域的には全国規模での使用が見込める事にある。
【発明を実施するための最良の形態】
【０００６】  図１は、平らな盤に針を植え付けるのを特徴とする「鼠侵入防止器」の立面図である。同図にある等間隔の針は、鼠の進路を塞ぐためのものであって針の高さは盤の表面から１６〜１７ｍｍ、先のとがった金属製とし、市販されているステンレス製の釘（１４×１９ｍｍ）を使うことも選択肢の一つにある。針を植え付ける盤は、カッタ−ナイフで紙などをカットする際に用いるカッタマットのような材質（合成樹脂）で柔軟性を持たせ、厚さは２〜３ｍｍ程度で半永久的な使用に耐える物が良い。この器具の最良の形態は、長方形の短辺を１１０ｍｍに固定して針は１０本、１０ｍｍの等間隔で植え付け、長辺にも同じく１０ｍｍの等間隔で植え付けるが長さには違いを持たせて種類とするのが良い。図１を参考にするなら、縦及び横、それぞれ一番外側にある針の列と平行な関係にある盤の端までの距離を５ｍｍとする。これは、図２のように組み合わせて用いる場合、接続部分での針の間隔に１０ｍｍ以上の開きができないようにし、接続部分を鼠が通り抜けるのを防ぐためである。本器具の用法は、図２に示すように周囲を囲むか、これとは別に壁等も併用したコの字型も考えられるが、用法に更なる工夫を凝らせるといった奥深いものがある。
【産業上の利用可能性】
【０００７】  本発明は、従来の発想では作り得ない器具「帯状の針の山」であることから、新たな生産技術の開発が必要となるが、材質や形状を考える場合、企業の持つ技術力での量産化は十分可能であり、国内はもちろん輸出を含めた産業上の利用可能性は非常に大きい。
【図面の簡単な説明】
【０００８】
【図１】  平らな盤に細い針を植え付けた「鼠侵入防止器」の立面図である。
【図２】  鼠のえさ場や出入り口を「鼠侵入防止器」で囲んだ平面図である。
【符号の説明】
【０００９】  １    盤に植え付けた針
２    針を植え付けた盤
３    大きさの違う二種類の盤
４    器具に囲まれた鼠の活動場所
【図１】
2007082516.tif 000003
【図２】
2007082516.tif 000004
(57)【要約】      （修正有）【課題】電話時にコマーシャルを流す。【解決手段】１．電話をかけた時、相手が出てくるまでに企業のコマーシャルを流す。例えば、呼び出し音の替わりに、或いは、呼び出し音の間で、「お菓子のＡ社が只今お呼び出しをしております。」等。２．電話をかけて相手が出てきた時、双方に企業のコマーシャルを流す。例えば、「お菓子のＡ社がおつなぎ致しました。」等。【選択図】なし【特許請求の範囲】
【請求項１】
電話をかけた時、相手が出てくるまでに企業のコマーシャルを流す。
【請求項２】
電話をかけて相手が出てきた時、双方に企業のコマーシャルを流す。
【発明の詳細な説明】
【技術分野】
【０００１】電話をかけた時、相手が出てくるまでの間に企業のコマーシャルを流す。
例えば、呼び出し音の替わりに、或いは、呼び出し音の間で、「お菓子のＡ社が只今お呼び出しをしております。」等と、コマーシャルを流す。
【技術分野】
【０００２】電話をかけて相手が出てきた時、双方にコマーシャルを流す。
例えば、「お菓子のＡ社がおつなぎ致しました。」等。
【技術分野】
【０００３】電話会社はこのＡ社からコマーシャル料を徴収する。
他方、電話加入者の通話料は無料、或いは、割引をすることも可能。
(57)【要約】【課題】発光色のばらつきを低減する。【解決手段】使用する白色ＬＥＤ１について放射光の色度座標を調べて複数のグループ、例えば、５つの色度座標ａ〜ｅにそれぞれ近い領域に色度座標が存在する合計５つのグループＧａ，Ｇｂ，Ｇｃ，Ｇｄ，Ｇｅに各白色ＬＥＤ１を振り分けておく。そして、プリント配線板２上で隣接する白色ＬＥＤ１を、例えば、グループＧａとＧｃ、あるいはグループＧｂとＧｄというように混色によってグループＧｅの領域に入るような組み合わせを選択して実装すれば、これら隣接した白色ＬＥＤ１，１から放射される光が混色して得られる光は、目標とする白色光に近くなって発光色のばらつきが低減できる。【選択図】        図１
2007080530.tif 000002
【特許請求の範囲】
【請求項１】
白色光を放射する複数個の発光ダイオードと、これら複数個の発光ダイオードを実装するプリント配線板と、プリント配線板を収納する器具本体とを備えたＬＥＤ照明器具において、複数個の発光ダイオードは、所定の表色系における色度座標によって振り分けられた複数のグループのうちから、混色によって目標とする白色の色度座標に略一致するように選択された発光ダイオードの組がプリント配線板上で隣接して配置されることを特徴とするＬＥＤ照明器具。
【発明の詳細な説明】
【技術分野】
【０００１】
本発明は、白色光を放射する複数個の発光ダイオードを光源としたＬＥＤ照明器具に関するものである。
【背景技術】
【０００２】
従来、白色光を放射する複数個の発光ダイオードと、これら複数個の発光ダイオードを実装するプリント配線板と、プリント配線板を収納する器具本体とを備えたＬＥＤ照明器具が提供されている（例えば、特許文献１参照）。
【特許文献１】特開２００５−１９２９９号公報
【発明の開示】
【発明が解決しようとする課題】
【０００３】
ところで、白色光を放射する発光ダイオード（以下、白色ＬＥＤという。）には個体差があり、放射される光の色にもばらつきが生じる。従って、目標とする光の色に対するばらつきの程度が大きく且つ同じ方向にずれている複数個の白色ＬＥＤをプリント配線板上で隣接して配置した場合、これらの白色ＬＥＤから放射される光が混色して得られる光は、目標とする白色から大きくずれてしまうことになる。
【０００４】
本発明は上記事情に鑑みてされたものであり、その目的は、発光色のばらつきが低減できるＬＥＤ照明器具を提供することにある。
【課題を解決するための手段】
【０００５】
請求項１の発明は、上記目的を達成するために、白色光を放射する複数個の発光ダイオードと、これら複数個の発光ダイオードを実装するプリント配線板と、プリント配線板を収納する器具本体とを備えたＬＥＤ照明器具において、複数個の発光ダイオードは、所定の表色系における色度座標によって振り分けられた複数のグループのうちから、混色によって目標とする白色の色度座標に略一致するように選択された発光ダイオードの組がプリント配線板上で隣接して配置されることを特徴とする。
【発明の効果】
【０００６】
請求項１の発明によれば、複数個の発光ダイオードは、所定の表色系における色度座標によって振り分けられた複数のグループのうちから、混色によって目標とする白色の色度座標に略一致するように選択された発光ダイオードの組がプリント配線板上で隣接して配置されるので、これらの発光ダイオードから放射される光が混色して得られる光が目標とする白色光に近くなって発光色のばらつきが低減できる。
【発明を実施するための最良の形態】
【０００７】
以下、図面を参照して本発明の実施形態を詳細に説明する。
【０００８】
本実施形態のＬＥＤ照明器具の外観を図２に示す。長尺の帯板状に形成されたプリント配線板２の表面には、複数個（図示例では３６個）の発光ダイオード（白色ＬＥＤ）１が２列に実装されるとともにこれらの白色ＬＥＤ１を接続する導電パターン（図示せず）が形成され、長手方向に隣り合う白色ＬＥＤ１が等間隔で配置されている。またプリント配線板２の裏面には、限流用の抵抗素子等の回路部品が実装される。
【０００９】
プリント配線板２を収納する器具本体３は、前面が開口する長尺の矩形箱状に形成されており、プリント配線板２を収納した状態で透明な樹脂成形品からなるカバー４で開口部分が閉塞される。
【００１０】
ところで、所定の表色系（例えば、ＸＹＺ表色系）における白色ＬＥＤ１の色度座標（ｘ，ｙ）は、図１（ａ）のｘｙ色度図において白色に対応する領域（白色領域）Ｍ内に収まっている（図１（ｂ）参照）。言い換えると、製造された白色ＬＥＤの中から色度座標が白色領域Ｍ内に収まる固体を選別して使用しているのである。この白色領域Ｍは、目標とする色度座標ｅを中心とし４つの色度座標ａ，ｂ，ｃ，ｄを頂点とする四角形の領域に設定されている。そして、プリント配線板２に実装する多数の白色ＬＥＤ１においては、ロットの違いや個体差などによって白色光の色度座標が白色領域Ｍ内でばらついてしまうことは避けられず、例えば、色度座標ａ，ｂの白色ＬＥＤ１，１がプリント配線板２上で隣り合って実装された場合、２つの白色ＬＥＤ１，１が放射する光が混色して得られる白色光の色度座標が目標値ｅから相対的に大きくずれてしまうために器具全体の放射光に色のばらつきが生じてしまう虞がある。
【００１１】
そこで、使用する白色ＬＥＤ１について放射光の色度座標を調べて複数のグループ、例えば、５つの色度座標ａ〜ｅにそれぞれ近い領域に色度座標が存在する合計５つのグループＧａ，Ｇｂ，Ｇｃ，Ｇｄ，Ｇｅに各白色ＬＥＤ１を振り分けておく。そして、プリント配線板２上で隣接する白色ＬＥＤ１を、例えば、グループＧａとＧｃ、あるいはグループＧｂとＧｄというように混色によってグループＧｅの領域に入るような組み合わせを選択して実装すれば、これら隣接した白色ＬＥＤ１，１から放射される光が混色して得られる光は、目標とする白色光に近くなって発光色のばらつきが低減できるものである。
【図面の簡単な説明】
【００１２】
【図１】本発明の実施形態を説明するための説明図である。
【図２】同上の平面図である。
【符号の説明】
【００１３】
１  白色ＬＥＤ（発光ダイオード）
２  プリント配線板
３  器具本体
４  カバー
【図１】
2007080530.tif 000003
【図２】
2007080530.tif 000004
(57)【要約】【課題】  薄型化を可能としながらも、光の利用効率を向上することができる照明装置を提供する。【解決手段】  プリント配線板３の一方の面にそれぞれ実装された複数個の発光素子１と、それぞれ発光素子１の間に分散してプリント配線板３に実装された複数個の電子部品２で構成され各発光素子１をそれぞれ点灯させる点灯回路と、点灯回路の電子部品２と各発光素子１との間にそれぞれ設けられて発光素子１の光を配光する反射体４とを備える。発光素子１と点灯回路とをプリント配線板３において互いに同じ面に実装したことにより、発光素子１と点灯回路とを互いに異なる面に実装する場合に比べて薄型化が可能となっている。また、反射体４を備えることにより、電子部品２に吸収される光が減少し、光の利用効率が向上している。【選択図】図１
2007080525.tif 000002
【特許請求の範囲】
【請求項１】
複数個の発光素子と、一方の面に各発光素子がそれぞれ実装されたプリント配線板と、それぞれプリント配線板において発光素子の間に実装された複数個の電子部品で構成され各発光素子をそれぞれ点灯させる点灯回路と、点灯回路を構成する電子部品と各発光素子との間にそれぞれ設けられて発光素子の光を配光する反射体とを備えることを特徴とする照明装置。
【発明の詳細な説明】
【技術分野】
【０００１】
本発明は、照明装置に関するものである。
【背景技術】
【０００２】
従来から、複数個の発光ダイオードなどの発光素子と、各発光素子をそれぞれ点灯させる点灯回路と、各発光素子と点灯回路とがそれぞれ実装されたプリント配線板とを備える照明装置が提供されている。
【０００３】
この種の照明装置として、発光素子と点灯回路とをプリント配線板において互いに同じ面に実装することにより、発光素子と点灯回路とを互いに異なる面に実装する場合に比べて薄型化を可能としたものがある（例えば、特許文献１参照）
【特許文献１】特開２００１−３５２３９号公報
【発明の開示】
【発明が解決しようとする課題】
【０００４】
しかし、上記従来例では、点灯回路を構成する電子部品を１箇所に纏めて実装しているから、電子部品による暗部が目立って見栄えが悪くなっていた。
【０００５】
電子部品を発光素子の間に分散して配置すれば、電子部品による暗部を目立ちにくくすることができるが、そうすると発光素子の光のうち電子部品に吸収又は反射されてしまう光が多くなることにより発光素子の光の利用効率が低下してしまう。
【０００６】
本発明は上記事由に鑑みて為されたものであり、その目的は、薄型化を可能としながらも、光の利用効率を向上することができる照明装置を提供することにある。
【課題を解決するための手段】
【０００７】
請求項１の発明は、複数個の発光素子と、一方の面に各発光素子がそれぞれ実装されたプリント配線板と、それぞれプリント配線板において発光素子の間に実装された複数個の電子部品で構成され各発光素子をそれぞれ点灯させる点灯回路と、点灯回路を構成する電子部品と各発光素子との間にそれぞれ設けられて発光素子の光を配光する反射体とを備えることを特徴とする。
【０００８】
この発明によれば、発光素子と点灯回路とをプリント配線板において互いに同じ面に実装することにより、発光素子と点灯回路とを互いに異なる面に実装する場合に比べて薄型化が可能となる。また、点灯回路を構成する各電子部品をそれぞれ発光素子の間に実装しているから、電子部品による暗部が目立ちにくい。さらに、反射体を備えることにより、電子部品に吸収される光が減少するから、光の利用効率が向上する。
【発明の効果】
【０００９】
本発明によれば、発光素子と点灯回路とをプリント配線板において互いに同じ面に実装することにより、発光素子と点灯回路とを互いに異なる面に実装する場合に比べて薄型化が可能となる。また、点灯回路を構成する各電子部品をそれぞれ発光素子の間に実装しているから、電子部品による暗部が目立ちにくい。さらに、反射体を備えることにより、電子部品に吸収される光が減少するから、光の利用効率が向上する。
【発明を実施するための最良の形態】
【００１０】
以下、本発明を実施するための最良の形態について、図面を参照しながら説明する。
【００１１】
本実施形態は、図１に示すように、複数個の発光素子１と、複数個の電子部品２で構成され各発光素子１をそれぞれ点灯させる点灯回路と、各発光素子１と点灯回路を構成する電子部品２とが互いに同じ面にそれぞれ実装されたプリント配線板３と、点灯回路を構成する電子部品２と各発光素子１との間にそれぞれ設けられ、点灯回路を構成する電子部品２への発光素子１の光の入射を阻止するとともに発光素子１の光を配光する反射体４とを備える。
【００１２】
発光素子１は例えば表面実装形の発光ダイオードであり、点灯回路を構成する電子部品２は、例えば整流ダイオードや限流抵抗である。各発光素子１はプリント配線板３上に分散して配置され、各電子部品２はそれぞれ発光素子１の間に配置されている。このように複数個の電子部品２を発光素子１の間に分散して配置しているから、電子部品２を１箇所に纏めて配置する場合に比べ、電子部品２による暗部が目立ちにくくなっている。
【００１３】
反射体４は、プリント配線板３の厚さ方向から見て発光素子１を囲む筒形状であって、一方の開口がプリント配線板３によって閉塞される形でプリント配線板３に固定されている。反射体４は、例えば合成樹脂からなる筒形状の基体の内面に銀メッキを施されたものであって、内面が発光素子１の光を反射する。反射体４の内面は、プリント配線板３から離れる方向へ向かって内径を大きくするように傾斜しており、反射体４に入射した発光素子１の光は、プリント配線板３の厚さ方向であってプリント配線板３から離れる方向（図１の上方）へ反射される。また、反射体４の実装高さは、発光素子１が隣接するいずれの電子部品２の実装高さよりも高くしてある。つまり、点灯回路を構成する電子部品２への発光素子１の光の入射は、反射体４によって阻止される。
【００１４】
上記構成によれば、発光素子１と点灯回路とをプリント配線板３において互いに同じ面に実装したことにより、発光素子１と点灯回路とを互いに異なる面に実装する場合に比べて薄型化が可能となっている。また、反射体４を備えることにより、電子部品２に吸収される光が減少し、光の利用効率が向上している。
【００１５】
なお、反射体４の形状は上記のものに限られず、例えば図２に示すように、それぞれ電子部品２を覆う形状の反射体５を、各電子部品２に対してそれぞれ設けてもよい。図２の例では、反射体５は、一方の底面をプリント配線板に向けて固定され底面に沿った断面の形状をプリント配線板に近い位置ほど大きくするように側面が傾斜した角錐台形状であって、電子部品２が収納される凹部５１がプリント配線板側の底面に設けられ、少なくとも外側面が発光ダイオード１の光を反射する。
【図面の簡単な説明】
【００１６】
【図１】本発明の実施形態を示す断面図である。
【図２】同上の別の形態を示す断面図である。
【符号の説明】
【００１７】
１  発光素子
２  電子部品
３  プリント配線板
４，５  反射体
【図１】
2007080525.tif 000003
【図２】
2007080525.tif 000004
(57)【要約】【課題】  簡易な構成で、異なる波長の光を出力する複数のＬＥＤの経時変化による光色変化を防止したＬＥＤ照明装置を提供する。【解決手段】  駆動部２ｒ，２ｇ，２ｂは、直流電源１から電源を供給されて、赤色ＬＥＤ３ｒ，緑色ＬＥＤ３ｇ，青色ＬＥＤ３ｂの各寿命が同一寿命となる駆動電流Ｉｒ，Ｉｇ，Ｉｂを赤色ＬＥＤ３ｒ，緑色ＬＥＤ３ｇ，青色ＬＥＤ３ｂに各々独立して供給しており、赤色ＬＥＤ３ｒ，緑色ＬＥＤ３ｇ，青色ＬＥＤ３ｂの光量比は各出力の経時変化による影響を受けずに一定となり、経時変化によって赤，緑，青の混色の比率が変化することがなく、生成される白色光も変化することはない。【選択図】図１
2007080532.tif 000002
【特許請求の範囲】
【請求項１】
異なる波長の光を出力する複数のＬＥＤと、各ＬＥＤを発光波長毎に独立して駆動する駆動部とを備えて、各ＬＥＤの発光を混色して所望の光色を生成し、駆動部は発光波長が異なるＬＥＤの経時変化が同一となる電流値で各ＬＥＤを駆動することを特徴とするＬＥＤ照明装置。
【請求項２】
生成する光色の調整は、発光波長毎のＬＥＤの個数を変えることで行うことを特徴とする請求項１記載のＬＥＤ照明装置。
【発明の詳細な説明】
【技術分野】
【０００１】
本発明は、異なる波長の光を出力する複数のＬＥＤを備えて、所望の光色を生成するＬＥＤ照明装置に関するものである。
【背景技術】
【０００２】
従来、異なる波長の光を出力する複数のＬＥＤの発光を混色して所望の光色を生成するＬＥＤ照明装置があり、例えば、赤色（Ｒ），緑色（Ｇ），青色（Ｂ）の各ＬＥＤの発光を混色して白色光源を実現している。このようなＬＥＤ照明装置では、赤色，緑色，青色の各ＬＥＤの出力は経時変化で光量が低下してしまうが、各ＬＥＤの光量を検出しフィードバックして光量を補正することで、経時変化による光量低下を防止し、光量を一定にしたものがある。（例えば、特許文献１参照）
【特許文献１】特開２００３−１６３０９０号公報
【発明の開示】
【発明が解決しようとする課題】
【０００３】
上記従来のＬＥＤ照明装置では、各ＬＥＤの光量を検出する検出手段、フィードバック制御手段が必要であり、回路構成が複雑となっていた。
【０００４】
しかし、上記フィードバック制御無しで、赤色，緑色，青色の各ＬＥＤを定電流駆動すると、赤色，緑色，青色の各ＬＥＤ毎に経時変化特性が異なるため、経時変化によって混色の比率が変化し、生成される白色光も変化していた。
【０００５】
本発明は、上記事由に鑑みてなされたものであり、その目的は、簡易な構成で、異なる波長の光を出力する複数のＬＥＤの経時変化による光色変化を防止したＬＥＤ照明装置を提供することにある。
【課題を解決するための手段】
【０００６】
請求項１の発明は、異なる波長の光を出力する複数のＬＥＤと、各ＬＥＤを発光波長毎に独立して駆動する駆動部とを備えて、各ＬＥＤの発光を混色して所望の光色を生成し、駆動部は発光波長が異なるＬＥＤの経時変化が同一となる電流値で各ＬＥＤを駆動することを特徴とする。
【０００７】
この発明によれば、発光波長が異なるＬＥＤの光量比は各出力の経時変化による影響を受けずに一定となり、経時変化によって混色の比率が変化することがなく、生成される光色も変化することはない。したがって、簡易な構成で、異なる波長の光を出力する複数のＬＥＤの経時変化による光色変化を防止することができる。
【０００８】
請求項２の発明は、請求項１において、生成する光色の調整は、発光波長毎のＬＥＤの個数を変えることで行うことを特徴とする。
【０００９】
この発明によれば、任意の光色を得ることができるという効果がある。
【発明の効果】
【００１０】
以上説明したように、本発明では、簡易な構成で、異なる波長の光を出力する複数のＬＥＤの経時変化による光色変化を防止することができるという効果がある。
【発明を実施するための最良の形態】
【００１１】
以下、本発明の実施の形態を図面に基づいて説明する。
【００１２】
（実施形態）
図１は、本実施形態のＬＥＤ照明装置の回路構成を示し、直流電源１と、駆動部２ｒ，２ｇ，２ｂと、２つの赤色ＬＥＤ３ｒの直列回路，２つの緑色ＬＥＤ３ｇの直列回路，２つの青色ＬＥＤ３ｂの直列回路とを備える。駆動部２ｒ，２ｇ，２ｂは、直流電源１から電源を供給されて、赤色ＬＥＤ３ｒ，緑色ＬＥＤ３ｇ，青色ＬＥＤ３ｂの各直列回路に駆動電流Ｉｒ，Ｉｇ，Ｉｂを各々独立して供給しており、赤色ＬＥＤ３ｒ，緑色ＬＥＤ３ｇ，青色ＬＥＤ３ｂの各発光が混色して白色光を生成している。
【００１３】
図２は、赤色ＬＥＤ３ｒ，緑色ＬＥＤ３ｇ，青色ＬＥＤ３ｂの各駆動電流Ｉｒ，Ｉｇ，Ｉｂと寿命との関係を示し、図中のＹｒ１，Ｙｇ１，Ｙｂ１は赤色ＬＥＤ３ｒ，緑色ＬＥＤ３ｇ，青色ＬＥＤ３ｂの各寿命曲線を示す。このように、赤色ＬＥＤ３ｒ，緑色ＬＥＤ３ｇ，青色ＬＥＤ３ｂの各寿命曲線Ｙｒ１，Ｙｇ１，Ｙｂ１は互いに異なるため、赤色ＬＥＤ３ｒ，緑色ＬＥＤ３ｇ，青色ＬＥＤ３ｂに同一値の駆動電流Ｉｒ，Ｉｇ，Ｉｂを供給すると、赤色ＬＥＤ３ｒ，緑色ＬＥＤ３ｇ，青色ＬＥＤ３ｂの各経時変化特性が互いに異なる。したがって、経時変化によって赤，緑，青の混色の比率が変化して、生成される白色光も変化してしまう。
【００１４】
そこで、本実施形態の駆動部２ｒ，２ｇ，２ｂは、赤色ＬＥＤ３ｒ，緑色ＬＥＤ３ｇ，青色ＬＥＤ３ｂの各寿命が同一寿命Ｔ１となる駆動電流Ｉｒ１，Ｉｇ１，Ｉｂ１（図２参照）を供給する。したがって、赤色ＬＥＤ３ｒ，緑色ＬＥＤ３ｇ，青色ＬＥＤ３ｂの各経時変化特性Ｙｒ２，Ｙｇ２，Ｙｂ２は、図３（ａ）（ｂ）（ｃ）に示すように経過時間に対して同一の出力比減衰形状となり、初期の出力比Ｐｍに対して、任意の経過時間Ｔｘにおける各出力比は同一の出力比Ｐｘとなり、赤色ＬＥＤ３ｒ，緑色ＬＥＤ３ｇ，青色ＬＥＤ３ｂの光量比は各出力の経時変化による影響を受けずに一定となる。すなわち、経時変化によって赤，緑，青の混色の比率が変化することがなく、生成される白色光も変化することはない。このように、本実施形態では、簡易な構成で、赤色ＬＥＤ３ｒ，緑色ＬＥＤ３ｇ，青色ＬＥＤ３ｂのＬＥＤの経時変化による光色変化を防止したＬＥＤ照明装置を提供することができる。
【００１５】
また、生成する光色の調整は、赤色ＬＥＤ３ｒ，緑色ＬＥＤ３ｇ，青色ＬＥＤ３ｂの各個数を変えることで行う。
【図面の簡単な説明】
【００１６】
【図１】本発明の実施形態のＬＥＤ照明装置を示す回路構成図である。
【図２】同上の赤色ＬＥＤ，緑色ＬＥＤ，青色ＬＥＤの寿命曲線を示す図である。
【図３】（ａ）（ｂ）（ｃ）同上の赤色ＬＥＤ，緑色ＬＥＤ，青色ＬＥＤの各経時変化特性を示す図である。
【符号の説明】
【００１７】
１  直流電源
２ｒ，２ｇ，２ｂ  駆動部
３ｒ  赤色ＬＥＤ
３ｇ  緑色ＬＥＤ
３ｂ  青色ＬＥＤ
【図１】
2007080532.tif 000003
【図２】
2007080532.tif 000004
【図３】
2007080532.tif 000005
(57)【要約】【課題】赤色光を放射する発光ダイオードが直視されるのを防いで外観上の違和感をなくすとともに見栄えを良くする。【解決手段】白色ＬＥＤ１が実装される第１の基板３と、白色ＬＥＤ１の放射方向（図１における上向き）に沿って第１の基板３と対向配置されるとともに第１の基板３に対向する面（図１における下面）に赤色ＬＥＤ２が実装される第２の基板４とを備える。第２の基板４に実装された赤色ＬＥＤ２が外部に露出せず、赤色ＬＥＤ２が放射する赤色光は、第１の基板３の反射面で反射した後に貫通孔４ｃを通して外部へ放射されるので、赤色ＬＥＤ２が放射する赤色光が直視されるのを防いで外観上の違和感をなくすとともに見栄えを良くすることができる。【選択図】        図１
2007080537.tif 000002
【特許請求の範囲】
【請求項１】
白色光を放射する１乃至複数の第１の発光ダイオードと、赤色光を放射する１乃至複数の第２の発光ダイオードと、第１の発光ダイオードが実装される第１の基板と、第１の発光ダイオードの放射方向に沿って第１の基板と対向配置されるとともに第１の基板に対向する面に第２の発光ダイオードが実装される第２の基板とを備え、
第２の基板は、第１の基板との対向面が反射面となり且つ第１の基板との対向方向から見た投影範囲の内側に第１の発光ダイオードが位置するような複数の貫通孔が設けられたことを特徴とする照明装置。
【発明の詳細な説明】
【技術分野】
【０００１】
本発明は、発光ダイオードを光源とする照明装置に関し、特に白色光を放射する発光ダイオードと赤色光を放射する発光ダイオードの双方を備えた照明装置に関するものである。
【背景技術】
【０００２】
従来、白色光を放射する発光ダイオード（以下、「白色ＬＥＤ」と呼ぶ。）と赤色光を放射する発光ダイオード（以下、「赤色ＬＥＤ」と呼ぶ。）とを備え、白色光と赤色光の混色作用によって演色性の向上等を図った照明装置が提供されている（例えば、特許文献１参照）。
【特許文献１】特開２００４-１１１１０４号公報
【発明の開示】
【発明が解決しようとする課題】
【０００３】
ところが、上述のような従来の照明装置においては、光源色が異なる白色ＬＥＤと赤色ＬＥＤを同一平面上に配置していたため、赤色ＬＥＤが直視される可能性があり、外観上の違和感を与えたり見栄えが良くないといった問題があった。
【０００４】
本発明は上記事情に鑑みて為されたものであり、その目的は、赤色光を放射する発光ダイオードが直視されるのを防いで外観上の違和感をなくすとともに見栄えを良くした照明装置を提供することにある。
【課題を解決するための手段】
【０００５】
請求項１の発明は、上記目的を達成するために、白色光を放射する１乃至複数の第１の発光ダイオードと、赤色光を放射する１乃至複数の第２の発光ダイオードと、第１の発光ダイオードが実装される第１の基板と、第１の発光ダイオードの放射方向に沿って第１の基板と対向配置されるとともに第１の基板に対向する面に第２の発光ダイオードが実装される第２の基板とを備え、第２の基板は、第１の基板との対向面が反射面となり且つ第１の基板との対向方向から見た投影範囲の内側に第１の発光ダイオードが位置するような複数の貫通孔が設けられたことを特徴とする。
【発明の効果】
【０００６】
請求項１の発明によれば、第２の基板に実装された第２の発光ダイオードが外部に露出せず、第２の発光ダイオードが放射する赤色光は、第１の基板の反射面で反射した後に貫通孔を通して外部へ放射されるので、第２の発光ダイオードが放射する赤色光が直視されるのを防いで外観上の違和感をなくすとともに見栄えを良くすることができる。
【発明を実施するための最良の形態】
【０００７】
以下、図面を参照して本発明の実施形態を詳細に説明する。
【０００８】
本実施形態の照明装置は、図１に示すように白色光を放射する複数（図示例では４つ）の第１の発光ダイオード（白色ＬＥＤ）１と、赤色光を放射する複数（図示例では３つ）の第２の発光ダイオード（赤色ＬＥＤ）２と、白色ＬＥＤ１が実装される第１の基板３と、白色ＬＥＤ１の放射方向（図１における上向き）に沿って第１の基板３と対向配置されるとともに第１の基板３に対向する面（図１における下面）に赤色ＬＥＤ２が実装される第２の基板４とを備える。
【０００９】
第１の基板３は、白色ＬＥＤ１が実装される実装面（図１における上面）に反射率の高い物質（例えば、アルミなど）の薄膜が形成されて全体が反射面となっている。そして、第１の基板３の実装面に複数の白色ＬＥＤ１がほぼ等間隔に配置（実装）されている。但し、白色ＬＥＤ１に通電するための配線パターン（図示せず）が第１の基板３の実装面に形成されており、かかる配線パターンと反射面との間には薄膜状若しくはシート状の絶縁物（図示せず）が介装されて絶縁されている。
【００１０】
第２の基板４は、赤色ＬＥＤ２が実装される平坦部４ａと、平坦部４ａの周縁から立ち上がる周壁部４ｂとを有する。平坦部４ａの実装面（図１における下面）には複数の赤色ＬＥＤ２がほぼ等間隔に配置（実装）され、周壁部４ｂの先端部分において第２の基板４が第１の基板３と接着等によって結合されている。また、平坦部４ａの実装面並びに周壁部４ｂの内側面には反射率の高い物質（例えば、アルミなど）の薄膜が形成されて全体が反射面となっている。但し、赤色ＬＥＤ２に通電するための配線パターン（図示せず）が第２の基板４の平坦部４ａの実装面に形成されており、かかる配線パターンと反射面との間には薄膜状若しくはシート状の絶縁物（図示せず）が介装されて絶縁されている。さらに平坦部４ａにおいては、隣り合う赤色ＬＥＤ２の間に貫通孔４ｃがそれぞれ設けられており、しかも、これら複数の貫通孔４ｃは、第１の基板３と第２の基板４との対向方向（図１における上下方向）から見た投影範囲内側に白色ＬＥＤ１が位置するように配置されている。
【００１１】
而して、第２の基板４に実装された赤色ＬＥＤ２が外部に露出せず、赤色ＬＥＤ２が放射する赤色光は、第１の基板３の反射面で反射した後に貫通孔４ｃを通して外部へ放射されるので、赤色ＬＥＤ２が放射する赤色光が直視されるのを防いで外観上の違和感をなくすとともに見栄えを良くすることができる。
【図面の簡単な説明】
【００１２】
【図１】本発明の実施形態を示す断面図である。
【符号の説明】
【００１３】
１  第１の発光ダイオード（白色ＬＥＤ）
２  第２の発光ダイオード（赤色ＬＥＤ）
３  第１の基板
４  第２の基板
４ｃ  貫通孔
【図１】
2007080537.tif 000003
(57)【要約】【目的】分子レベルで膜厚を制御できる正孔注入層およびそれを用いた有機電界発光素子を提供することを目的とする。【構成】単層のポリチオフェン誘導体を混合ラングミュアーブロジェット法を用いて分子レベルの超薄膜としたことを特徴とする正孔注入層およびそれを用いたことを特徴とする有機電界発光素子。【選択図】        図３
2007080744.tif 000002
【特許請求の範囲】
【請求項１】
単層のポリチオフェン誘導体を混合ラングミュアーブロジェット法を用いて分子レベルの超薄膜としたことを特徴とする正孔注入層。
【請求項２】
請求項１のポリチオフェン誘導体が、ポリ（3-ヘキシルチオフェン）等のポリアルキルチオフェンであることを特徴とする請求項１の正孔注入層。
【請求項３】
請求項１、2いずれかの項記載の正孔注入層を用いたことを特徴とする有機電界発光素子。
【発明の詳細な説明】
【技術分野】
【０００１】
本発明は、正孔注入層およびそれを用いた有機電界発光（ＥＬ）素子に関するものである。
【背景技術】
【０００２】
有機電界発光素子は、陽極と陰極から正孔と電子を注入し、それらが再結合することで有機物の励起状態が形成され、基底状態へ戻る際にエネルギーを光として放出する素子である。しかし、有機物は本来絶縁体であり、正孔や電子を注入するために大きな過電圧を必要とし、発光のエネルギー効率が良くないことなどの問題がある。この問題を改善するには、正孔注入のエネルギー障壁を低下させるため正孔注入材料を素子に新たに付け加える必要がある。従来、電界発光素子の正孔注入層の作製は、低分子量の有機化合物の場合、真空加熱蒸着法が用いられ、また、高分子の場合、スピンコート法やインクジェットプリント法が用いられている。
【発明の開示】
【発明が解決しようとする課題】
【０００３】
しかし上記従来のこれらの成膜法では分子レベルで均一でかつ超薄膜を作製することは不可能であり、膜厚を分子レベルで制御できないため素子の膜厚が厚くなるため、正孔注入層の効果が小さくなってしまうといった問題があった。
【０００４】
本発明は、上記従来の実情に鑑みてなされたものであって、分子レベルで膜厚を制御できる正孔注入層およびそれを用いた有機電界発光素子を提供することを解決すべき課題としている。
【課題を解決するための手段】
【０００５】
第１発明の正孔注入層は、単層のポリチオフェン誘導体を混合ラングミュアーブロジェット法を用いて分子レベルの超薄膜としたことを特徴とする。また、第２発明の正孔注入層は、第１発明のポリチオフェン誘導体が、ポリ（3-ヘキシルチオフェン）（以下、「PHT」という。）等のポリアルキルチオフェンであることを特徴とする。
【０００６】
第３発明の有機電界発光素子は、第１発明、第２発明いずれかの正孔注入層を用いたことを特徴とする。
【発明を実施するための最良の形態】
【０００７】
以下、本発明を具体化した実施例１を図面を参照しつつ説明する。
【実施例１】
【０００８】
図１に作製した有機EL素子の構造と用いた化合物のエネルギー準位を示す。正孔注入層の機能としてはITO電極（-4.8 eV）との仕事関数の差が少ないことが要求されるためPHT（-5.2 eV）を選んだ。また、正孔の注入にはITO電極と正孔注入層との界面近傍のみが重要であるため、超薄膜が適している。そのために、これまでの我々の研究からPHTを良好なLB膜形成能を持つN-ドデシルアクリルアミドポリマー(pDDA)と混合することによりPHTの分子レベル超薄膜を作製できる混合LB法を用いて正孔注入層を作製した。また、対照実験としてpDDA LB膜を正孔注入層の代わりに用いた有機EL素子も作製した。正孔注入層以外は代表的な有機EL素子と同じ構造にした。陽極としてITO電極、正孔輸送層としてトリフェニルジアミン誘導体(TPD)、発光層および電子輸送層としてアルミニウムキノリン錯体(Alq3)、陰極としてCaおよび保護膜としてAlの構成であり、正孔注入層以外のすべての層は真空蒸着法により成膜し、有機EL素子の作製を行い、正孔注入層としてPHT超薄膜の導入による有機EL素子の特性評価を行った。
ITO / PHT(0〜5層) / TPD(100nm) / Alq3(100nm) / Ca(100nm) / Al の有機EL素子で得られた印加電圧に対する電流、輝度のデータは真空度や蒸着速度などの成膜条件によりデータにばらつきがでるためデータを平均化することにより決定した。図２にPHT混合LB膜の層数を変えた有機EL素子の印加電圧と輝度の関係を示した。0.1 cd/m2を発光開始電圧と定義するとPHTのない素子では約１１Vとなったが、PHTを１層導入した素子では約８Vと３V程度の開始電圧の減少が見られ、５層導入した素子では約７Vとなった。正孔注入層のPHT混合LB膜の代わりにpDDA LB膜を導入した素子では開始電圧が約０.５V上昇したことから、PHT混合LB膜中のPHTが正孔注入層として機能していることが明らかとなった。図３に同一電極内でのPHT１層の有無による輝度の変化を示す。図３を見てもわかるようにPHT１層を導入することにより同一電圧（14V）での発光輝度が明らかに違うことがわかり、PHT１層の導入により正孔注入障壁を軽減できることを明らかにした。また、発光効率（注入電流に対する輝度）はPHT混合LB膜１層の素子において最大となり、５層の素子では逆にPHTのない素子と比べて悪くなることがわかった。この理由はPHT混合LB膜層の増加により正孔注入効率が増加した反面、電子注入効率とのバランスが悪くなったためやPHTが560nmに吸収ピークを持つことによるフィルター効果などが考えられる。
以上のように有機EL素子の正孔注入層としてPHT混合LB膜が有効であることがわかり、またPHT１層の素子において発光効率が改善されることが明らかである。
【図面の簡単な説明】
【０００９】
【図１】実施例１で作製した有機EL素子の構造と用いた化合物のエネルギー準位を示す図である。
【図２】PHT混合LB膜の層数を変えた有機EL素子の印加電圧と輝度の関係を示す図である。
【図３】同一電極内でのPHT１層の有無による輝度の変化を示す図である。
【図１】
2007080744.tif 000003
【図２】
2007080744.tif 000004
【図３】
2007080744.tif 000005
(57)【要約】【課題】取り扱いが容易な光源装置を提供する。【解決手段】ＬＥＤチップ１と、ＬＥＤチップ１が実装されるパッケージ１０と、パッケージ１０に対してＬＥＤチップ１に対向して設けられる配光部２０とを備える。第１の配光部材２１に形成された凹レンズによってＬＥＤチップ１の放射する光を所望の方向に配光することができる。しかも、配光部２０の外側に露出する部分、すなわち第２の配光部材２２の第１の配光部材２１に対向する面と反対側の面を平坦面にできるから、外側に突出する凸レンズを備えた従来例に比較して取り扱いが容易になる。【選択図】        図１
2007080871.tif 000002
【特許請求の範囲】
【請求項１】
ＬＥＤチップと、ＬＥＤチップが実装されるパッケージと、パッケージに対してＬＥＤチップに対向して設けられる配光部とを備え、配光部は、ＬＥＤチップと対向配置される第１の配光部材と、第１の配光部材におけるＬＥＤチップと反対側の面に配設される第２の配光部材とからなり、第１の配光部材又は第２の配光部材の少なくとも一方において他方との対向面側にレンズが形成されたことを特徴とする光源装置。
【請求項２】
第１及び第２の配光部材が略同一の屈折率を有する材料からなり、一方の配光部材に凹レンズが形成されたことを特徴とする請求項１記載の光源装置。
【請求項３】
第１及び第２の配光部材が異なる屈折率を有する材料からなり、一方の配光部材に凹レンズが形成され、当該凹レンズと嵌合する凸レンズが他方の配光部材に形成されたことを特徴とする請求項１記載の光源装置。
【発明の詳細な説明】
【技術分野】
【０００１】
本発明は、ＬＥＤチップ（発光ダイオードチップ）を利用した光源装置に関するものである。
【背景技術】
【０００２】
近年、照明用の光源装置としてＬＥＤチップを利用したものが普及してきている。この種の光源装置においては、ＬＥＤチップが放射する光を所望の方向に配光するため、透光性を有する合成樹脂材料の成形品からなる凸レンズがＬＥＤチップの前方に配設されている（例えば、特許文献１参照）。
【特許文献１】特開２００１−１４８５１２号公報
【発明の開示】
【発明が解決しようとする課題】
【０００３】
しかしながら、上記特許文献１に記載されている光源装置を照明器具に搭載する場合、凸レンズがあるために取り扱いがし難く、器具の設計も制約を受けてしまう。
【０００４】
本発明は上記事情に鑑みて為されたものであり、その目的は、取り扱いが容易な光源装置を提供することにある。
【課題を解決するための手段】
【０００５】
請求項１の発明は、上記目的を達成するために、ＬＥＤチップと、ＬＥＤチップが実装されるパッケージと、パッケージに対してＬＥＤチップに対向して設けられる配光部とを備え、配光部は、ＬＥＤチップと対向配置される第１の配光部材と、第１の配光部材におけるＬＥＤチップと反対側の面に配設される第２の配光部材とからなり、第１の配光部材又は第２の配光部材の少なくとも一方において他方との対向面側にレンズが形成されたことを特徴とする。
【０００６】
請求項２の発明は、請求項１の発明において、第１及び第２の配光部材が略同一の屈折率を有する材料からなり、一方の配光部材に凹レンズが形成されたことを特徴とする。
【０００７】
請求項３の発明は、請求項１の発明において、第１及び第２の配光部材が異なる屈折率を有する材料からなり、一方の配光部材に凹レンズが形成され、当該凹レンズと嵌合する凸レンズが他方の配光部材に形成されたことを特徴とする。
【発明の効果】
【０００８】
本発明によれば、配光部によってＬＥＤチップの放射する光を所望の方向に配光することができ、しかも、配光部の外側に露出する部分、すなわち第２の配光部材の第１の配光部材に対向する面と反対側の面を平坦面にできるから、外側に突出する凸レンズを備えた従来例に比較して取り扱いが容易になるという効果がある。
【発明を実施するための最良の形態】
【０００９】
本実施形態の光源装置は、図１（ａ）に示すようにＬＥＤチップ１と、ＬＥＤチップ１が実装されるパッケージ１０と、パッケージ１０に対してＬＥＤチップ１に対向して設けられる配光部２０とを備える。
【００１０】
パッケージ１０は、セラミック材料によって略直方体状に形成されるとともに一面に円錐台形状の凹所１１が設けられ、凹所１１の底面にＬＥＤチップ１が実装されている。なお、ＬＥＤチップ１に対向する凹所１１の内周面には、反射率の高い材料（例えば、アルミナ）からなる反射面が形成されており、ＬＥＤチップ１から放射された光が凹所１１の開口面から効率よく出射するようにしてある。
【００１１】
配光部２０は、ＬＥＤチップ１と対向配置される第１の配光部材２１と、第１の配光部材２１におけるＬＥＤチップ１と反対側の面（図１（ａ）における上面）に配設される第２の配光部材２２とからなり、凹所１１の開口を塞ぐようにしてパッケージ１０に結合される。
【００１２】
第１及び第２の配光部材２１，２２は、透光性を有する材料（シリコーン樹脂など）により平板状に形成され、互いに略同一の屈折率を有している。ここで、第１の配光部材２１においては、第２の配光部材２２との対向面（図１（ａ）における上面）の略中央に凹部２１ａが設けられることで凹レンズが形成されている。
【００１３】
而して、第１の配光部材２１に形成された凹レンズによってＬＥＤチップ１の放射する光を所望の方向に配光することができ、しかも、配光部２０の外側に露出する部分、すなわち第２の配光部材２２の第１の配光部材２１に対向する面と反対側の面（図１（ａ）における上面）を平坦面にできるから、外側に突出する凸レンズを備えた従来例に比較して取り扱いが容易になり、さらに、搭載する照明器具の設計が制約を受け難くなるものである。
【００１４】
なお、図１（ｂ）に示すように第２の配光部材２２において、第１の配光部材２１との対向面（図１（ａ）における下面）の略中央に凹部２２ａを設けることで凹レンズを形成してもよい。あるいは、図１（ｃ）に示すように第１の配光部材２１において、第２の配光部材２２との対向面の略中央に凸部２１ｂを設けることで凸レンズを形成しても構わない。さらに、第１及び第２の配光部材２１，２２が異なる屈折率を有する材料で形成されている場合においては、図１（ｄ）に示すように一方の配光部材（例えば、第２の配光部材２２）に凹レンズを形成し、当該凹レンズと嵌合する凸レンズを他方の配光部材（第１の配光部材２１）に形成し、両レンズを互いに嵌合するようにしても構わない。
【図面の簡単な説明】
【００１５】
【図１】本発明の実施形態を示し、（ａ）は全体の断面図、（ｂ）は他の構成の配光部の断面図、（ｂ）はさらに他の構成の配光部の断面図、（ｄ）は別の構成の配光部の断面図である。
【符号の説明】
【００１６】
１  ＬＥＤチップ
１０  パッケージ
１１  凹所
２０  配光部
２１  第１の配光部材
２１ａ  凹部
２２  第２の配光部材
【図１】
2007080871.tif 000003
(57)【要約】    【課題】ＬＥＤ光源に搭載されるＬＥＤの数が増大しても、ＬＥＤ光源全体の寸法が勢い増大しないように、ＬＥＤ光源の色調を補正する。    【解決手段】  各々が異なる波長の光を、特定色の混色光を生成するように発する種々のＬＥＤを搭載するＬＥＤ光源の色調補正方法。この方法において、種々のＬＥＤのうち明度を上げる方向に色調を変更するべきＬＥＤがあるとき、このＬＥＤへの配線に導電ペーストを付与して、種々のＬＥＤから発せられる光色の、特定色からの色調のずれを補正する。【選択図】図１
2007080877.tif 000002
【特許請求の範囲】
【請求項１】
各々が異なる波長の光を、特定色の混色光を生成するように発する種々のＬＥＤを搭載するＬＥＤ光源の色調補正方法であって、
前記種々のＬＥＤのうち明度を上げる方向に色調を変更するべきＬＥＤがあるとき、このＬＥＤへの電流経路に導電材を付与して、前記種々のＬＥＤから発せられる光色の、前記特定色からの色調のずれを補正することを特徴とするＬＥＤ光源の色調補正方法。
【請求項２】
前記導電材を予め設定された量だけ前記電流経路に付与し、
前記導電材が付与されたＬＥＤに対して、明度を下げる方向に色調を変更する必要があるとき、前記導電材及び／又は前記電流経路に介設された抵抗体の一部をレーザ・トリミングで除去することを特徴とする請求項１記載のＬＥＤ光源の色調補正方法。
【発明の詳細な説明】
【技術分野】
【０００１】
本発明は、各々が異なる波長の光を、特定色の混色光を生成するように発する種々のＬＥＤ（発光ダイオード）を搭載するＬＥＤ光源の色調補正方法に関するものである。
【背景技術】
【０００２】
この種のＬＥＤ光源としては、例えば、特許文献１記載の発光ダイオード表示装置がある。この装置は、ＬＥＤの順電流の値を調節して色調を調整し、またその順電流のパルス幅をデューティ制御で調整して光度を調整する色調調整回路を備える。
【特許文献１】特開２００１−２７２９３８号公報
【発明の開示】
【発明が解決しようとする課題】
【０００３】
しかしながら、上記公報記載の技術では、各ＬＥＤに可変抵抗を接続するか、可変型定電流ドライバを接続する必要があるので、ＬＥＤ光源に搭載されるＬＥＤの数が増大すれば、ＬＥＤ光源全体の寸法が勢い増大するという課題がある。
【０００４】
本発明は、上記事情に鑑みてなされたものであり、ＬＥＤ光源に搭載されるＬＥＤの数が増大しても、ＬＥＤ光源全体の寸法が勢い増大しないように、ＬＥＤ光源の色調を補正することができるＬＥＤ光源の色調補正方法を提供することを目的とする。
【課題を解決するための手段】
【０００５】
上記課題を解決するための請求項１記載の発明は、各々が異なる波長の光を、特定色の混色光を生成するように発する種々のＬＥＤを搭載するＬＥＤ光源の色調補正方法であって、前記種々のＬＥＤのうち明度を上げる方向に色調を変更するべきＬＥＤがあるとき、このＬＥＤへの電流経路に導電材を付与して、前記種々のＬＥＤから発せられる光色の、前記特定色からの色調のずれを補正することを特徴とする。この方法によれば、ＬＥＤ光源に搭載されるＬＥＤの数が増大しても、ＬＥＤ光源全体の寸法が勢い増大しないように、ＬＥＤ光源の色調を補正することができる。
【０００６】
請求項２記載の発明は、請求項１記載のＬＥＤ光源の色調補正方法において、前記導電材を予め設定された量だけ前記電流経路に付与し、前記導電材が付与されたＬＥＤに対して、明度を下げる方向に色調を変更する必要があるとき、前記導電材及び／又は前記電流経路に介設された抵抗体の一部をレーザ・トリミングで除去することを特徴とする。この方法によれば、導電材の付与だけで色調のずれを補正する場合に比べて、その補正をより高精度に行うことができる。
【発明の効果】
【０００７】
本発明によれば、ＬＥＤ光源に搭載されるＬＥＤの数が増大しても、ＬＥＤ光源全体の寸法が勢い増大しないように、ＬＥＤ光源の色調を補正することができる。
【発明を実施するための最良の形態】
【０００８】
本発明による一実施形態の方法が適用されるＬＥＤ光源は、各々が異なる波長の光を、特定色、例えば白色の混色光を生成するように発する種々のＬＥＤを少なくとも一つずつ搭載する。例えば、赤色ＬＥＤ、緑色ＬＥＤ及び青色ＬＥＤが少なくとも一つずつ搭載される。
【０００９】
これらの種々のＬＥＤの各々は、例えば図１に示すように、ＬＥＤチップ１であり、ＬＥＤ光源のセラミック製のベース２に形成された複数の収納凹所２１の各底２１ａに実装（フリップチップ実装）される。底２１ａに実装されたＬＥＤチップ１は、ベース２に予め形成された一対の配線２２，２２に接続され、これらを介して図示しない外部電源と接続される。また、ＬＥＤチップ１の例えばアノード側の配線２２には抵抗体３が介設される。
【００１０】
このような構造のＬＥＤ光源の例えば製造時において、種々のＬＥＤチップ１のうち明度を上げる方向に色調（彩度・明度）を変更するべきＬＥＤチップ１があるとき、図２の例に示すように、そのＬＥＤチップ１への配線２２に導電ペースト４を付与して、種々のＬＥＤチップ１から発せられる光色の、特定色からの色調のずれを補正する。このとき、導電ペースト４を付与された配線２２の合成抵抗値が小さくなり、そのＬＥＤチップ１への電流値が大きくなるので、そのＬＥＤチップ１の色調が明度の上がる方向に彩度も変化するように変更されることになる。これにより、ＬＥＤ光源に搭載されるＬＥＤチップの数が増大しても、ＬＥＤ光源全体の寸法が勢い増大しないように、ＬＥＤ光源の色調を補正することができる。
【００１１】
望ましい一実施形態において、導電ペースト４は、予め設定された量だけ配線２２に付与される。そして、導電ペースト４が付与されたＬＥＤチップ１に対して、明度を下げる方向に色調を変更する必要があるとき、導電ペースト４及び／又は抵抗体３の一部がレーザ・トリミングで除去される。このとき、導電ペースト４及び／又は抵抗体３の一部が除去された配線２２の合成抵抗値が大きくなり、そのＬＥＤチップ１への電流値が小さくなるので、そのＬＥＤチップ１の色調が明度の下がる方向に彩度も変化するように変更されることになる。この実施形態によれば、導電ペースト４の付与だけで色調のずれを補正する場合に比べて、その補正をより高精度に行うことができる。
【図面の簡単な説明】
【００１２】
【図１】（ａ）は本発明による一実施形態の方法が適用されるＬＥＤ光源における一のＬＥＤ近傍の構造を示す斜視図であり、（ｂ）はその回路図である。
【図２】図１（ａ）の配線に導電ペーストを付与する様子を示す図である。
【符号の説明】
【００１３】
１  ＬＥＤチップ
２  ベース
２１  収納凹所
２２  配線
３  抵抗体
４  導電ペースト
【図１】
2007080877.tif 000003
【図２】
2007080877.tif 000004